(57)【要約】      （修正有）【課題】足底のすべての部位に優れたマッサージ効果を得るトレッドミルの耐滑板構造を提供する。【解決手段】トレッドミルの耐滑板構造は、走行ベルトの下に並んで緩衝板２２０が設置してあり、複数の凸粒２が底板の表面上に隣接する行と列が互い違いに配列されている。トレッドミル使用時に、使用者がランニングベルトを走った時に、足底は耐滑板の上の凸粒２と足底を踏み、凸粒２間に陥りこむこととなり最善のマッサージ効果が得られる。【選択図】図１
0003205105.tif 000002
【実用新案登録請求の範囲】
【請求項１】
走行ベルトの下に配置される緩衝板の上に設置され、
底板の上面に、複数の凸粒が行と列ごとに設置され、
その凸粒の隣接する行と列の配置が互い違いに設けられ、
前記行を構成する隣接する凸粒の間隔が第１間隔に設定され、
前記列を構成する隣接する凸粒の間隔が第２間隔に設定される、
トレッドミルの耐滑板構造。
【請求項２】
前記第１間隔と第２間隔の範囲が１０〜６０mmである請求項１記載のトレッドミルの耐滑板構造。
【請求項３】
前記凸粒の高さが０．３〜２．０mmである請求項２記載のトレッドミルの耐滑板構造。
【考案の詳細な説明】
【技術分野】
【０００１】
本考案は、トレッドミルの設備、特に、トレッドミルの耐滑板構造に関する。
【背景技術】
【０００２】
一般の走行ベルトがあるトレッドミルは、走行ベルトの下側に設置してある耐滑板及び緩衝板、一般的に使用する緩衝板、中華民国第Ｉ４０６６８６号特許第４Ａ図の２番のように、平坦な板体構造であり、マッサージ効果に達するには、耐滑板の下の緩衝板に凹凸マッサージパターンを設置して利用している。耐滑板は、緩衝板の表面に貼ってあるため、緩衝板と同じ凹凸マッサージパターンを形成することができる。
【考案の概要】
【考案が解決しようとする課題】
【０００３】
しかしながら、この凹凸マッサージパターンは、一般的なもので、画一的であるため、最善のマッサージ効果を得ることはできない。  
【課題を解決するための手段】
【０００４】
本考案は、走行ベルトの下に配置される緩衝板の上に設置され、底板の上面に、複数の凸粒が行と列ごとに設置され、その凸粒の隣接する行と列の配置が互い違いに設けられ、前記行を構成する隣接する凸粒の間隔が第１間隔に設定され、前記列を構成する隣接する凸粒の間隔が第２間隔に設定される、トレッドミルの耐滑板構造である。
【０００５】
前記第１間隔と第２間隔の範囲が１０〜６０mmである。
【０００６】
前記凸粒の高さが０．３〜２．０mmである。
【０００７】
本考案の提供するトレッドミルの耐滑板の構造は、底板上に凸粒を行と列で互い違いに配置することで、トレッドミルを使用する時、ユーザーの足が走行ベルトに進んだ時、足と走行ベルトの裏に支持凸面を形成するように、耐滑板の凸粒と接触させ、足に踏まれるようにする。各凸粒間の間隔により、走行ベルトの突出面が足の裏のあらゆる部分に作用すれば、最高のマッサージの快適さを実現することができる。
【考案の効果】
【０００８】
本考案により、トレッドミル使用時に、使用者は最善のマッサージ効果を得ることができる。
【図面の簡単な説明】
【０００９】
【図１】本発明実施形態のトレッドミルの耐滑板の構造の分解図である。
【図２】図１に示す耐滑板の概略斜視図である。
【図３】図２の耐滑板の断面模式図である。
【図４】耐滑板の平面図である。
【図５】トレッドミルの概略斜視図である。
【図６】ユーザーがトレッドミル使用時に足を踏んだ状態を示す説明図である。
【図７】ユーザーがトレッドミル使用時にスライドする状態を示す説明図である。
【考案を実施するための形態】
【００１０】
図５に示すように、本考案の実施形態のトレッドミル２００は、耐滑板１００と、耐滑板１００の上に配置される走行ベルト２１０と、耐滑板１００の上面に配置される緩衝板２２０を備え、耐滑板１００は緩衝板２２０の上側にあり、走行ベルト２１０の下側にあり、そのため、使用者が走行ベルト２１０を走行した時、耐滑板１００と接触する構造である。トレッドミル２００は、走行ベルト２１０と操作盤２３０を取り付けるための構造体２４０を備えている。
【００１１】
図５に示す通り、凸粒２を複数個含む底板１は、走行ベルト２１０の下側にあり、緩衝板２２０の上に設置できる。
【００１２】
図１〜図４に示す通り、凸粒２は、底板１の表面に設置することができ、凸粒２の隣接する行と列が互い違いに配置されており、行を構成する隣接する凸粒２の間隔が第１間隔Ｄ１に設定され、列を構成する隣接する凸粒２の間隔が第２間隔Ｄ２に設定される。第１間隔Ｄ１、Ｄ２は、凸粒２の端面と端面の間の距離である。
【００１３】
図２〜図３に示す通り、底板１と緩衝板２２０は一体に構成されている。
【００１４】
その中、実際の試験を経て、第１間隔Ｄ１および、第２間隔Ｄ２の範囲は１０〜６０mm、凸粒２の高さＨは０．３〜２．０mmがマッサージ使用者の最も心地良く感じる範囲である。凸粒２の高さＨは底板１の表面から凸粒２の頂点までの距離である。
【００１５】
上述の構造を通して、不使用時、走行ベルト２１０と底板１の間には間隔が設けられる。一方、第６図および第７図に示す通り、使用者がトレッドミル２００を使用する時、使用者の足底が走行ベルト２１０を踏むと、足底は走行ベルト２１０を通じて、すぐ耐滑板１００に接触して、耐滑板１００の上の凸粒２によって走行ベルト２１０の表面を支え、足底で凸粒２を踏み、凸粒２の間に嵌り込むことにより、走行ベルト２１０を走る際の表面を支え、足底のあらゆる部位に使用することとなり、最も優れたマッサージができるため、快適である。図６は足底で踏んだ状態、図７は足をスライドした状態を示し、つま先、または、踵が支持される様子である。
【符号の説明】
【００１６】
１００…耐滑板
１…底板
２…凸粒
２００…トレッドミル
２１０…走行ベルト
２２０…緩衝板
２３０…パネル
２４０…枠
Ｄ１…第１間隔
Ｄ２…第２間隔
Ｈ…高さ
【図１】
0003205105.tif 000003
【図２】
0003205105.tif 000004
【図３】
0003205105.tif 000005
【図４】
0003205105.tif 000006
【図５】
0003205105.tif 000007
【図６】
0003205105.tif 000008
【図７】
0003205105.tif 000009
【手続補正書】
【提出日】平成28年5月10日(2016.5.10)
【手続補正１】
【補正対象書類名】実用新案登録請求の範囲
【補正対象項目名】全文
【補正方法】変更
【補正の内容】
【実用新案登録請求の範囲】
【請求項１】
底板と、凸粒とを有する耐滑板を備え、
該耐滑板が走行ベルトの下に配置されるとともに緩衝板の上に設置され、
前記底板の上面に、複数の凸粒が行と列ごとに設置され、
前記凸粒の隣接する行と列の配置が互い違いに設けられ、
前記行を構成する隣接する凸粒の間隔が第１間隔に設定され、
前記列を構成する隣接する凸粒の間隔が第２間隔に設定される、
トレッドミルの耐滑板構造。
【請求項２】
前記第１間隔と第２間隔の範囲が１０〜６０mmである請求項１記載のトレッドミルの耐滑板構造。
【請求項３】
前記凸粒の高さが０．３〜２．０mmである請求項２記載のトレッドミルの耐滑板構造。
【手続補正２】
【補正対象書類名】明細書
【補正対象項目名】０００４
【補正方法】変更
【補正の内容】
【０００４】
本考案は、底板と、凸粒とを有する耐滑板を備え、該耐滑板が走行ベルトの下に配置されるとともに緩衝板の上に設置され、前記底板の上面に、複数の凸粒が行と列ごとに設置され、前記凸粒の隣接する行と列の配置が互い違いに設けられ、前記行を構成する隣接する凸粒の間隔が第１間隔に設定され、前記列を構成する隣接する凸粒の間隔が第２間隔に設定される、トレッドミルの耐滑板構造である。
【手続補正３】
【補正対象書類名】明細書
【補正対象項目名】００１０
【補正方法】変更
【補正の内容】
【００１０】
図５に示すように、本考案の実施形態のトレッドミル２００は、耐滑板１００と、耐滑板１００の上に配置される走行ベルト２１０と、耐滑板１００の下面に配置される緩衝板２２０を備える。耐滑板１００は、底板１と、凸粒とを有し、緩衝板２２０の上側にあり、走行ベルト２１０の下側にあり、そのため、使用者が走行ベルト２１０を走行した時、走行ベルト２１０が耐滑板１００と接触する構造である。トレッドミル２００は、走行ベルト２１０と操作盤２３０を取り付けるための構造体２４０を備えている。